(57)【特許請求の範囲】
【請求項１】
無線通信システムで少なくとも一つの無線ベアラを制御するためのトラフィックボリューム測定方法であって、
媒体接続制御（ＭＡＣ）階層で無線資源制御（ＲＲＣ）階層から測定情報を受信する段階と、
該媒体接続制御（ＭＡＣ）階層で各無線リンク制御（ＲＬＣ）エンタティに対して制御プロトコルデータユニット（ＰＤＵｓ）の量を含むバッファ使用量を無線リンク制御（ＲＬＣ）階層から受信する段階と、
該各無線リンク制御エンタティに対するバッファ使用量を合算してトラフィックボリュームを測定する段階と、
該測定されたトラフィックボリュームを上限しきい値および下限しきい値のうちの少なくとも一つと比べる段階と、
該測定されたトラフィックボリュームが該上限しきい値を超過したり、該下限しきい値未満の場合、伝送チャンネルとマッピングされている各無線ベアラに対するトラフィックボリューム測定報告を開始する段階を含む、方法。
【請求項２】
該トラフィックボリューム測定報告は各無線ベアラに対するバッファ使用量、バッファ使用量の平均及びバッファ使用量の分散の中で少なくとも一つを含む、請求項１に記載の方法
【請求項３】
該トラフィックボリュームの測定は、毎送信時間間隔（ＴＴＩ）ごとに行われる、請求項１に記載の方法
【請求項４】
該測定情報は、上記バッファ使用量の平均及び分散の中で少なくとも一つを計算するための時間間隔をさらに含む、請求項１に記載の方法
【請求項５】
無線通信システムで少なくとも一つの無線ベアラを制御するためのトラフィックボリューム測定方法であって、
媒体接続制御（ＭＡＣ）階層で無線資源制御（ＲＲＣ）階層から測定情報を受信する段階と、
該媒体接続制御（ＭＡＣ）階層で各無線リンク制御（ＲＬＣ）エンタティに対して制御プロトコルデータユニット（ＰＤＵｓ）の量を含むバッファ使用量を無線リンク制御（ＲＬＣ）階層から受信する段階と、
報告期間が経過した場合に、伝送チャンネルとマッピングされている各無線ベアラに対するトラフィックボリューム測定報告を開始する段階を含む、方法。
【請求項６】
該トラフィックボリューム測定報告は各無線ベアラに対するバッファ使用量、バッファ使用量の平均及びバッファ使用量の分散の中で少なくとも一つを含む、請求項５に記載の方法。
【請求項７】
該測定情報は、該バッファ使用量の平均及び分散の中で少なくとも一つを計算するための時間間隔をさらに含む、請求項６に記載の方法。
【請求項８】
無線通信システムで少なくとも一つの無線ベアラを制御するためのトラフィックボリューム測定方法であって、
媒体接続制御（ＭＡＣ）階層で測定情報を無線資源制御（ＲＲＣ）階層から受信する段階と、
該媒体接続制御（ＭＡＣ）階層で各無線リンク制御（ＲＬＣ）エンタティに対して制御プロトコルデータユニット（ＰＤＵｓ）の量を含むバッファ使用量を無線リンク制御（ＲＬＣ）階層から受信する段階と、
該各無線リンク制御（ＲＬＣ）エンタティに対するバッファ使用量を合算してトラフィックボリュームを測定する段階と、
該測定されたトラフィックボリュームが上限しきい値を超過したり、下限しきい値未満の場合、または既設定された測定周期経過時に、伝送チャンネルとマッピングされている各無線ベアラに対するトラフィックボリューム測定報告を開始する段階を含む、方法。
【請求項９】
該トラフィックボリューム測定報告は各無線ベアラに対するバッファ使用量、バッファ使用量の平均及びバッファ使用量の分散の中で少なくとも一つを含む、請求項８に記載の方法。
【請求項１０】
該トラフィックボリュームの測定は毎送信時間間隔（ＴＴＩ）ごとに行われる、請求項８に記載の方法。
【請求項１１】
該測定情報は、上記バッファ使用量の平均及び分散の中で少なくとも一つを計算するための時間間隔をさらに含む、請求項９に記載の方法。
【発明の詳細な説明】
【０００１】
【発明の属する技術分野】
本発明は移動通信システムの媒体接続制御（ＭＡＣ）階層で行うトラフィックボリューム測定プロデューサにおいて、無線ベアラ単位で、そして、伝送チャネル単位でトラフィック状態を無線資源制御（ＲＲＣ）階層に知らせて、動的に無線ベアラ制御を効率よく行えるようにしたトラフィックボリューム測定方法に関する。
【０００２】
【従来の技術】
第３世代ネットワーク及び無線接続方式の３ＧＰＰ（３ｒｄ Ｇｅｎｅｒａｔｉｏｎ Ｐａｒｔｎｅｒｓｈｉｐ Ｐｒｏｊｅｃｔ）のＩＭＴ−２０００システム構造で媒体接続制御（ＭＡＣ：Ｍｅｄｉｕｍ Ａｃｃｅｓｓ Ｃｏｎｔｒｏｌ−３ＧＰＰの第２階層）階層は媒体接続を制御するプロトコル階層として開放形相互接続システム（ＯＳＩ）７階層モデルの第２階層に当たる。
【０００３】
図１は媒体接続制御のための論理的チャネルと伝送チャネルの階層間の位置を示す構成図である。
【０００４】
図１を参照すると、３ＧＰＰの第２階層（Ｌ２）はＰＤＣＰ（Ｐａｃｋｅｔ Ｄａｔａ Ｃｏｎｖｅｒｇｅｎｃｅ Ｐｒｏｔｏｃｏｌ）階層２１０、マルチケスト／ブロードキャスト制御（Ｌ２＿ＢＭＣ）階層２２０、無線リンク制御（Ｌ２＿ＲＬＣ）階層２３０、これの下位階層の媒体接続制御階層（Ｌ２＿ＭＡＣ）２４０を含んでおり、無線資源制御（ＲＲＣ：Ｒａｄｉｏ Ｒｅｓｏｕｒｃｅ Ｃｏｎｔｒｏｌ）階層１００は第３階層であり、第１階層は物理（ＰＨＹ：Ｐｈｙｓｉｃａｌ）階層（Ｌ１）３００からなる。
【０００５】
かかる媒体接続制御階層２４０と無線リンク制御階層２３０の間は論理的チャネル（Ｌ＿ＣＨ）で接続され、前記媒体接続制御階層２４０と物理階層３００の間は伝送チャネル（Ｔ＿ＣＨ）で接続される。
【０００６】
そして、媒体接続制御階層２４０では論理的チャネル（Ｌ＿ＣＨ）と伝送チャネル（Ｔ＿ＣＨ）間のマッピングが行われ、そのマッピング時のソースレートに従ってマルチプレクスされた伝送チャネル（Ｔ＿ＣＨ）に適切な伝送フォーマット組合せ（ＴＦＣ）を選択することなどの役割を果たす。
【０００７】
前記媒体接続制御階層２４０の上位階層の無線リンク制御階層２３０でのデータは、載せられる情報の内容により区分づけられる論理的チャネル（Ｌ＿ＣＨ）にデータを載せて、媒体接続制御階層２４０へ伝達する。
【０００８】
媒体接続制御階層２４０では前記論理的チャネル（Ｌ＿ＣＨ）と伝送チャネル（Ｔ＿ＣＨ）間のマッピングを行い、媒体接続制御階層２４０と物理階層３００の間にはデータが実際に伝送される物理的チャネルの特性に従って区分づけられる伝送チャネル（Ｔ＿ＣＨ）を介して運搬され、物理階層３００では前記伝送チャネル（Ｔ＿ＣＨ）を介して運搬された伝送ブロックをフレームに変えて物理的チャネルに伝送する。
【０００９】
ここで、媒体接続制御階層２４０と物理階層３００の間に伝達されるデータ単位ブロックの伝送フォーマットは、伝送ブロックのフォーマット情報を意味する。かかる伝送チャネルを介して運搬された伝送ブロックをフレームに変えて物理的チャネルに伝送する。
【００１０】
この際、媒体接続制御階層２４０で実際に伝送するトラフィック量に従って無線資源制御（ＲＲＣ）階層１００が無線資源を動的に割り当てられるようにするために、トラフィックボリューム測定を行い、これを無線資源制御階層１００に報告する。
【００１１】
無線資源制御階層１００は前記トラフィックボリューム測定をイベントトリガーで行う時に必要な情報の上位しきい値と下位しきい値、そして、周期的に行う時に必要な周期の情報を媒体接続制御階層２４０に知らせる。
【００１２】
これにより、媒体接続制御階層２４０では、イベントトリガーの場合はトラフィックボリュームが上位しきい値の数値を超えるか下位しきい値に至らない場合に無線資源制御階層１００に測定報告を行い、周期的なモードの場合には周期タイマーの満了時にトラフィックボリューム測定報告を行う。
【００１３】
かかる既存の無線インタフェースプロトコル構造では、無線資源制御階層のトラフィック量を媒体接続制御階層でモニタリングして、無線資源制御階層が無線資源を割当、維持又は解除するようにした。しかしながら、これに対する具体的な代案が備えられていない実状である。
【００１４】
すなわち、３ＧＰＰのＩＭＴ−２０００通信標準の無線接続ネットワーク（ＲＡＮ）規格では、媒体接続制御（ＭＡＣ）階層でトラフィックボリュームを測定して、無線資源制御器（ＲＲＣ）に知らせるという点のみが分かり、実際にモニタリングや報告に際して、モニタリングの単位を何にするかについては定められていない。
【００１５】
すなわち、トラフィックボリューム測定と報告を無線ベアラ単位にするか、論理的チャネル単位にするか、または伝送チャネル単位にするか、そして、無線リンク制御（ＲＬＣ）階層で発生する制御用プロトコルデータユニット（ＰＤＵ）に対してこれをトラフィックボリュームに含ませて知らせるか、そして、具体的にどの値がしきい値と比較されイベントが発生するのかなど、実際的なプロセッサに対する具体的な代案が提示されていない実状である。
【００１６】
このため、現在の標準で３ＧＰＰのＩＭＴ-２０００通信標準の非同期ＣＤＭＡシステムや端末機の製造に際して相当な混乱が生じやすい。
【００１７】
【発明が解決しようとする課題】
そこで、本発明の目的は、無線資源制御階層でトラフィックボリュームを測定するための測定情報を媒体接続制御階層に提供し、前記提供される測定情報からイベントトリガーモードの場合、伝送チャネルにおけるトラフィックボリュームに従って、又は無線資源制御階層で定められた周期に従って周期的なモードに該測定基準を有してトラフィックボリュームを測定して、上位無線資源制御階層に知らせるようにすることで、無線資源制御階層で活用しやすくなるようにした移動通信システムにおけるトラフィックボリューム測定方法を提供することにある。
【００１８】
【課題を解決するための手段】
本発明の移動体通信システムにおけるトラフィックボリューム測定方法は、移動通信システムで、一つの伝送チャネルにマッピングされる一つ又はそれ以上の無線ベアラのバッファ使用量を測定し、前記バッファ使用量の総和を求めて、一つの伝送チャネルのトラフィックボリュームを計算し、前記伝送チャネルにマッピングされる前記一つ又はそれ以上の無線ベアラに対する測定結果を報告することを特徴とする。
【００１９】
前記測定結果は前記伝送チャネルにマッピングする前記それぞれの無線バリアに対して、測定期間の間測定されたバッファ使用量とバッファ使用量の変動量とバッファ使用量の平均の中、少なくとも一つを含むことを特徴とする。
【００２０】
前記測定は媒体接続制御（ＭＡＣ）階層で行われ、前記測定結果は、無線資源制御（ＲＲＣ）階層に報告されることを特徴とする。
【００２１】
前記測定に必要な測定情報を上位階層から受けることを更に含み、前記情報は報告する量識別子を含むことを特徴とする。
【００２２】
前記上位階層は無線資源制御（ＲＲＣ）階層であることを特徴とする。
【００２３】
前記無線ベアラのバッファ使用量は無線リンク制御（ＲＬＣ）の階層内で伝送が可能なデータ量のバイト数であることを特徴とする。
【００２４】
前記無縁ベアラのバッファ使用量は無線リンク（ＲＬＣ）エンタティの無線リンク制御（ＲＬＣ）バッファの使用量を示すことを特徴とする。
【００２５】
本発明の移動体通信システムにおけるトラフィックボリューム測定方法は、移動通信システムで、上位階層から報告周期を含む測定情報を受け、一セットの伝送チャネルのそれぞれにマッピングされる一つ又はそれ以上の無線ベアラのバッファ使用量を測定し、前記報告周期が満了されたかを検査し、前記報告周期が満了すると、前記全ての伝送チャネルにマッピングされる前記それぞれの無線ベアラに対する測定報告を前記上位階層に送付することを特徴とする。
【００２６】
前記測定と送付を前記報告周期で繰り返すことを特徴とする。
【００２７】
前記測定報告は前記それぞれの無線ベアラに対して報告周期の間測定されたバッファ使用量とバッファ使用量の変動量とバッファ使用量の平均の中、少なくとも一つを含むことを特徴とする。
【００２８】
前記上位階層は無線資源制御（ＲＲＣ）階層であることを特徴とする。
【００２９】
それぞれの無線ベアラの前記バッファ使用量はそれぞれの伝送チャネルにマッピングされる前記それぞれの無線ベアラに対応する無線リンク制御（ＲＬＣ）エンタティの無線リンク制御（ＲＬＣ）バッファの使用量を示すことを特徴とする。
【００３０】
前記無線リンク制御（ＲＬＣ）バッファの使用量は前記無線リンク制御（ＲＬＣ）エンタティにより生成される制御用プロトコルデータユニット（ＰＤＵ）の量を更に含むことを特徴とする。
【００３１】
前記無線資源制御（ＲＲＣ）階層はユーザ装置の無線資源制御（ＵＥ−ＲＲＣ）階層であり、このユーザ端末機の無線資源制御（ＵＥ-ＲＲＣ）階層は前記測定報告を量子化して、無線ネットワーク制御器の無線資源制御（ＲＮＣ-ＲＲＣ）階層に伝送することを特徴とする。
【００３２】
本発明の移動体通信システムにおけるトラフィックボリューム測定方法は、移動通信システムで、上位階層から一つの伝送チャネルに対して許容するトラフィックボリュームの範囲を含む測定情報を受け、前記通信システムに含まれている一つの伝送チャネルにマッピングする一つ又はそれ以上の無線ベアラの現在のバッファ使用量を測定し、前記バッファ使用量の総和を求めて一つの伝送チャネルのトラフィックボリュームを計算し、前記トラフィックボリュームが、前記許容する範囲を超える伝送チャネルに対して、その伝送チャネルにマッピングされるそれぞれの無線ベアラに対する測定報告を前記上位階層に送付することを特徴とする。
【００３３】
前記測定報告は、前記それぞれの無線ベアラに対して測定期間の間測定されたバッファ使用量とバッファ使用量の変動量とバッファ使用量の平均の中、少なくとも一つを含むことを特徴とする。
【００３４】
前記上位階層は無線資源制御（ＲＲＣ）階層であることを特徴とする。
【００３５】
それぞれの無線ベアラの前記バッファ使用量はそれぞれの伝送チャネルにマッピングされる前記それぞれの無線ベアラに対応する無線リンク制御（ＲＬＣ）エンタティの無線リンク制御（ＲＬＣ）バッファの使用量を示すことを特徴とする。
【００３６】
前記無線リンク制御（ＲＬＣ）バッファの使用量は前記無線リンク制御（ＲＬＣ）エンタティにより生成する制御用プロトコルデータユニット（ＰＤＵ）の量を更に含むことを特徴とする。
【００３７】
前記無線資源制御（ＲＲＣ）階層はユーザ装置の無線資源制御（ＵＥ−ＲＲＣ）階層であり、このユーザ端末機の無線資源制御（ＵＥ−ＲＲＣ）階層は前記測定報告を量子化して、無線ネットワーク制御器の無線資源制御（ＲＮＣ−ＲＲＣ）階層に伝送することを特徴とする。
【００３８】
上記目的を達成するための本発明による移動通信システムにおけるトラフィックボリューム測定方法は、無線リンク制御（ＲＬＣ）階層からデータを伝送する時、各論理的チャネルのバッファ使用量を媒体接続制御（ＭＡＣ）階層に知らせ、媒体接続制御階層でこの情報を使用して、伝送チャネルトラフィックボリュームを計算することを特徴とする。
【００３９】
また、前記計算される伝送チャネルトラフィックボリュームをイベントトリガーモードでは定められたしきい値と比較することを特徴とする。
【００４０】
詳細には、前記イベントトリガーモードでは各伝送チャネル別に定められた上位及び下位しきい値で比較を行い、伝送チャネルトラフィックボリュームが定められたしきい値の範囲を外れる場合、上位階層に報告するイベントを発生することを特徴とする。
【００４１】
詳細には、前記伝送チャネルトラフィックボリュームは該伝送チャネルにマッピングされている全ての無線リンク制御（ＲＬＣ）エンタティのバッファ使用量の合計で計算することを特徴とする。
【００４２】
また、前記無線リンク制御階層から媒体接続制御階層に知らせるバッファ使用量は、無線リンク制御階層に属するバッファ内にあるデータ量と、発生する制御プロトコルデータユニット（ＰＤＵ）の量とを選択的に加えて知らせることを特徴とする。
【００４３】
そして、無線リンク制御階層からデータを伝送する時、各論理チャネルのバッファ使用量を媒体接続制御階層に知らせ、媒体接続制御階層では、無線資源制御階層で定められた周期ごとに論理的なチャネル別バッファ使用量、バッファ使用量の平均、バッファ使用量の変動情報を上位階層に報告することを特徴とする。
【００４４】
好ましくは、媒体接続制御階層でトラフィックボリュームの測定結果をイベントトリガーモードの場合、伝送チャネル別トラフィック量がしきい値の範囲を外れる場合、又は周期的なモードで無線資源制御階層で知らせた周期となった場合、無線資源制御階層に無線ベアラ別に報告することを特徴とする。
【００４５】
詳細には、本発明による移動通信システムにおけるトラフィックボリュームの測定方法は、媒体接続制御階層が無線資源制御階層から各無線ベアラ別にどんなモードでどんな報告値を要求するかに対する情報を提供された後、各論理チャネル別のバッファ使用量を無線リンク制御階層から伝達される段階と、
前記提供される測定情報がイベントトリガーモードであれば、定められたしきい値の範囲を伝送チャネルトラフィックボリュームが外れるかを比較して、その結果外れていると、測定の結果を無線資源制御階層に報告する段階及び、
前記提供される測定情報が周期的なモードであれば、定められた周期ごとに各論理チャネル別バッファ使用量、バッファ使用量の平均、バッファ使用量の変動情報を無線資源制御階層に報告することを特徴とする。
【００４６】
【発明の実施の形態】
以下、本発明の実施形態を図面に沿って詳細に説明する。
【００４７】
図２はユーザ端末機側でトラフィックボリューム測定を行う場合であり、図３はネットワーク側でトラフィックボリューム測定を行う場合の概念図であり、図４は本発明の実施形態による移動無線ネットワークにおけるトラフィックボリューム測定装置を示す構成図であり、図５は本発明の実施形態による移動無線ネットワークにおけるトラフィックボリューム測定方法を示すフローチャートである。
【００４８】
図２を参照すると、ネットワーク側のＲＲＣ（ＲＮＣ-ＲＲＣ）が端末側ＲＲＣ（ＵＥ−ＲＲＣ）にトラフィックボリューム測定に関するシステム情報メッセージを送る。ここで、トラフィックボリューム測定がイベントトリガーであるか、周期的であるかを知らせる。
【００４９】
そして、イベントトリガーであれば、しきい値を測定基準情報として含ませ、周期的であれば、周期値を測定基準情報として含ませる。
【００５０】
すると、端末側ＲＲＣは前記測定情報を受けて、媒体接続制御階層（ＵＥ−ＭＡＣ）に上記のような要求情報が来ていることを知らせる。媒体接続制御階層は、実際にＲＬＣ（ＵＥ−ＲＬＣ）からデータがダウンする時、そのデータと共にバッファ使用量を受け取ることによってトラフィックボリュームの測定を行うが、イベントトリガーであれば、一つの伝送チャネルにマッピングした論理チャネルのバッファ使用量の合計、すなわち、伝送チャネルトラフィックボリュームとしきい値とを比較して、しきい値の範囲を外れているとイベントを発生させて報告し、周期的な場合には、周期が経過すると、端末側ＲＲＣ（ＵＥ−ＲＲＣ）階層にそれぞれ報告する。前記端末側ＲＲＣ（ＵＥ−ＲＲＣ）は必要に応じてネットワーク側ＲＲＣ（ＲＮＣ−ＲＲＣ）に前記測定報告を伝送する。
【００５１】
図３を参照すると、ネットワーク側ＲＲＣ（ＲＮＣ−ＲＲＣ）がネットワーク側のトラフィックボリューム測定を行うので、ＲＲＣはＭＡＣに自分が行おうとする測定に関する要求メッセージを送り、ＭＡＣはＲＬＣからデータがダウンする時、そのデータと共にバッファ使用量を受けるので、これを用いてトラフィックボリュームを測定する。もし、イベントトリガーであれば、一つの伝送チャネルにマッピングされた論理チャネルのバッファ使用量の合計、すなわち、伝送チャネルトラフィックボリュームとしきい値とを比較して、しきい値を外れていると報告し、周期的であれば周期を経過すると報告を行う。
【００５２】
かかるトラフィックボリュームを測定する時、イベントトリガーモードと周期的なモードに対して図４及び図５を参照して説明する。
【００５３】
まず、無線資源制御（ＲＲＣ）階層は、伝送するトラフィック量に従って無線資源を動的に割り当てられるようにするために、媒体接続制御ＭＡＣ階層２４０に測定情報を提供する（Ｓ５０１）。
【００５４】
この際、提供される測定情報は、イベントトリガーモード／周期的なモード、ＲＬＣバッファの平均と変動情報を求めるためのタイム間隔（ｔｉｍｅ ｉｎｔｅｒｖａｌ）、そして、周期的な報告モードのための報告間隔（ｒｅｐｏｒｔｉｎｇ ｉｎｔｅｒｖａｌ）、またはイベントトリガーモードのための上位及び下位しきい値（ＴＵ，ＴＬ）などを含む。
【００５５】
無線リンク制御階層２３０で各無線ベアラ（ＲＢ：Ｒａｄｉｏ Ｂｅａｒｅｒ）ＲＢ１，ＲＢ２がセットアップされる時、その無線ベアラに当たる論理的チャネル（Ｌ#ＣＨ）が媒体接続制御階層２４０のチャネルスイッチング部２４１によりスイッチングされ、ＴＦＣ選択部２４３で当たる伝送チャネル（Ｔ#ＣＨ）とマッピングされる。
【００５６】
すなわち、複数個の論理的チャネル（ＤＴＣＨ１，ＤＴＣＨ２）がマルチプレクサ２４２によりマルチプレキシングされ、ＴＦＣ選択部２４３で一つの伝送チャネル（ＤＣＨ１）にマッピングされた場合であるか、一つの論理的チャネル（ＤＴＣＨ３）がＴＦＣ選択部２４３で一つの伝送チャネル（ＤＣＨ２）に一対一にマッピングされる場合である。
【００５７】
また、無線リンク制御（ＲＬＣ）階層２３０から媒体接続制御階層２４０にバッファ２３１使用量を知らせる時、無線リンク制御エンタティ２３０のバッファ２３１に存在するデータ量だけでなく、無線リンク制御階層２３０に生じる制御用プロトコルデータユニット（ＰＤＵ）の量を含ませて知らせることにより、媒体接続制御階層２４０でＴＦＣ（Ｔｒａｎｓｐｏｒｔ Ｆｏｒｍａｔ Ｃｏｍｂｉｎａｔｉｏｎ）選択時にこれを用いてＴＦＣを選択できるようにする。
【００５８】
かかる伝送チャネルが物理階層３００のコーディング及びマルチプレキシング部３１０によってコーディング及びマルチプレクスされつつ符号化した複合伝送チャネル（ＣＣＴｒＣＨ：Ｃｏｄｅｄ Ｃｏｍｐｏｓｉｔｅ ＴｒａｎｓｐｏｒｔＣｈａｎｎｅｌ）を形成して、物理階層で使用される物理的チャネルとマッピングされる。
【００５９】
ここで、媒体接続制御階層２４０は論理的チャネル（ＤＴＣＨ１，２，３．．．）が伝送チャネル（ＤＣＨ１，ＤＣＨ２，．．．）にマルチプレキシングが起こり、毎伝送時間間隔（ＴＴＩ：Ｔｒａｎｓｍｉｓｓｉｏｎ Ｔｉｍｅ Ｉｎｔｅｒｖａｌ）に現在各伝送チャネル別に送るべきトラフィックがどの位存在するかが分かる。
【００６０】
したがって、実際に媒体接続制御階層２４０で複数個の論理的チャネルが一つの伝送チャネルにマルチプレクサ２４２によりマッピングされることができ、一つの論理的チャネルが一つの伝送チャネルに一対一にマッピングされることもできる。かかる伝送チャネル当たりマルチプレキシングされるトラフィックボリュームを毎伝送時間間隔（ＴＴＩ）ごとに測定して、現在各伝送チャネル別に送るべきトラフィックがどの位存在するかが分かる。また、伝送チャネルにおけるトラフィックボリュームは各伝送チャネルにマッピングされている各論理的チャネルのバッファ使用量（ＲＬＣバッファにあるデータ量）の合計で計算される（Ｓ５０２）。
【００６１】
従って、媒体接続制御階層２４０は伝送チャネルにおけるトラフィックボリュームを各伝送チャネル別にチェックする。前記伝送チャネルにおけるトラフィックボリュームは該伝送チャネルにマッピングされている全ての無線リンク制御階層２３０のバッファ使用量の合計で計算され、そのバッファ使用量は無線リンク制御階層２３０のバッファ内にあるデータ量と、発生する制御用プロトコルデータユニットの量とを含むものである。
【００６２】
この際、イベントトリガーモードに伝送チャネルトラフィックボリュームを測定したい時（Ｓ５０３）、上位階層（ＭＡＣ）で定められたしきい値（ＴＵ，ＴＬ）と伝送チャネルレベルにおけるトラフィックボリュームとを比較する。
【００６３】
ここで、各伝送チャネル別に定められたしきい値（ＴＵ，ＴＬ）とトラフィックボリュームとを比較し、イベント発生の可否を確認するが、この際のしきい値（ＴＵ，ＴＬ）は上位及び下位しきい値（ＴＵ，ＴＬ）に設定する（Ｓ５０４）。
【００６４】
すると、前記各伝送チャネル別に測定されたトラフィックボリュームが上位しきい値（ＴＵ）より高い場合、或いは下位しきい値（ＴＬ）より低い場合には（Ｓ５０５）、上位階層（ＲＲＣ）に報告するイベントが発生する（Ｓ５０７）。すなわち、定められたしきい値範囲の条件で任意の伝送チャネルトラフィックボリュームが外れる場合、報告するイベントが発生する。
【００６５】
前記イベントの発生はそれぞれの伝送チャネル別トラフィックボリュームが定められたしきい値範囲を外れる場合、上位階層に報告するイベントが発生し、また、伝送チャネルにマッピングされている無線ベアラに限ってイベントが発生する。
【００６６】
かかるイベントトリガーモードでは無線資源制御階層でしきい値（８，１６，３２，．．．．，５１２Ｋ，７６８Ｋ）単位の中一つを定め、この値をしきい値にするが、下位しきい値である場合はそのしきい値に到達しない場合であり、上位しきい値である場合にはその値を超えた場合に報告を行うことになる。
【００６７】
上記のように、媒体接続制御階層から各伝送チャネルレベルに報告するイベントを発生させることにより、無線資源制御階層で動的な伝送チャネルタイプのスイッチング時により迅速に反映することができる。
【００６８】
しかし、従来にはそれぞれの無線ベアラ別にイベントが発生する場合には、伝送チャネルタイプスイッチングを行うために、無線資源制御階層で報告される各無線ベアラの値で再び各伝送チャネル別にマルチプレクスされるトラフィックボリュームを計算して判断すべきであるので、長時間がかかり且つ作業が複雑となりやすい。これは、無線資源制御階層が各伝送チャネル別に判断するより、媒体接続制御階層で各伝送チャネル別に判断するのがより効率的で迅速に行われ得ることを意味する。
【００６９】
一方、各伝送チャネル別に測定されたトラフィックボリュームが上位しきい値（ＴＵ）より低く、下位しきい値（ＴＬ）より高い場合（Ｓ５０５）となる周期的なモードでは（Ｓ５０６）、上位無線資源制御（ＲＲＣ）階層から定められた周期を有し、伝送チャネルにおけるトラフィックボリュームをその周期毎に周期的にトラフィックボリューム測定報告を行う。
【００７０】
すなわち、周期を測定するタイマーを介してそのタイマーが満了すると、前記測定された伝送チャネルトラフィックボリューム情報の測定結果を報告し、タイマーを再初期化させた後、再び定められた周期でスタートする。
【００７１】
かかる周期的なモードでは全ての伝送チャネルに一つの周期に適用して測定された伝送チャネルトラフィックボリュームを測定し、定められた周期が満了すると、上位階層に報告するイベントが発生する。この際、一つの周期に全ての伝送チャネルに同時に発生し且つ全ての無線ベアラに対して報告するイベントが発生する。
【００７２】
もし、周期的なモードである時、無線資源制御階層から無線接続制御階層に提供する周期（２５０，５００，．．．，３２０００，６４０００など）単位（ｍｓ）の中一つの周期が定められると、その周期に毎時間が経過する場合、各無線ベアラ別のトラフィックボリュームを測定して、各伝送チャネル別に報告する。
【００７３】
そして、イベントトリガーモード又は周期的なモードで測定基準によってしきい値範囲を外れたり、周期となって媒体接続制御（ＭＡＣ）階層で無線資源制御（ＲＲＣ）階層にトラフィックボリューム測定報告を送る時には、それぞれの無線ベアラ別にバッファ使用量、バッファ使用量の平均、バッファ使用量の変動情報を知らせ得るように、トラフィックボリューム測定報告を送る。
【００７４】
上記のようなイベントトリガーモードと周期的なモードとが現在の標準システムでは同時に使用され得る。これは、イベントトリガーモードでしきい値と比較して、伝送チャネルトラフィックボリュームがしきい値を外れない時、周期的なモードにおける周期が満了すると、報告するイベントを発生することにより、二つのモードを同時に使用して、伝送チャネルトラフィックボリューム情報を上位階層に報告する。また、イベントトリガーモードや周期的なモードの中何れかを適用して使用することもできる。
【００７５】
そして、媒体接続制御階層は伝送タイム間隔（ＴＴＩ）ごとに前記伝送チャネル別トラフィックボリュームを測定して、該イベントが発生する場合に上位階層に報告する（Ｓ５０８）。
【００７６】
すると、無線資源制御階層は前記媒体接続制御階層で報告された無線ベアラ別の結果値を報告され、実際に無線接続区間に伝送すべきであるので、伝送量を減らすために量子化する。このようにそれぞれの無線ベアラ別に情報を知らせることにより、無線資源制御階層は該情報を有して動的な無線ベアラ再構成を行うことができる。
【００７７】
言い換えると、無線資源制御器は、媒体接続制御階層から入力された測定の結果に基づき、無線ベアラ再構成、伝送チャネル再構成、物理的チャネル再構成、伝送フォーマット組合せ制御など多様な動作を行う。
【００７８】
上述したように、上位階層で定められるモードとそのモードの測定基準情報（しきい値と周期値）を含む測定制御メッセージを媒体制御階層に知らせることにより、トラフィックボリューム測定を行う前にどのような方式から測定を行うかを知らせる。
【００７９】
すなわち、測定制御メッセージに含まれた情報は、トラフィックボリューム測定が周期的であるか、イベントトリガーであるかのモードと、そのモードの具体的な情報として、イベントトリガーモードの場合には、しきい値がどの位であるかを知らせる情報であり、周期的なモードの場合には、報告する間隔や報告の回数を知らせる。したがって、ユーザ端末（ＵＥ）側やネットワーク側で共にトラフィックボリューム測定が行われ得る。
【００８０】
したがって、無線資源制御階層は、ある無線ベアラに対する伝送チャネルがしきい値が超えている状態でトラフィックが集中される場合、該無線ベアラに対するＱｏＳを保障するために、無線ベアラの再構成を行って他の伝送チャネルにマッピングされるように変えることができる。そして、共通伝送チャネルのような場合には、トラフィックボリュームが増加すると、そのチャネルを専用伝送チャネルに変えられる伝送チャネルタイプスイッチングも行うことができる。
【００８１】
【発明の効果】
以上説明したように、本発明の移動通信システムで媒体接続制御のためのトラフィックボリューム測定方法によれば、３ＧＰＰ無線接続ネットワーク規格の媒体接続制御階層でトラフィックボリュームを測定する時、伝送チャネルトラフィックボリュームとしきい値とを比較して、イベントを発生させるようにすることで、無線資源制御階層で動的な伝送チャネルタイプのスイッチング時により迅速に反映することができるという長所がある。
【００８２】
そして、イベントトリガーモードでイベントが発生したり、周期的なモードで定められた周期が満了した時、媒体接続制御階層から無線資源制御階層に報告する時、それぞれの無線ベアラ別にバッファ使用量、バッファ使用量の平均、バッファ使用量の変動量を知らせ得るように、トラフィックボリューム測定報告として知らせることにより、無線資源制御階層が該情報を有して環境に適応して、動的な無線ベアラの再構成を行えるようになる。
【００８３】
また、無線リンク制御階層で生じる制御用プロトコルデータユニットの量をバッファ使用量値に含ませることにより、伝送フォーマット組合の選択時にこれを用いて効率よくＴＦＣを選択できるようにする。
【図面の簡単な説明】
【図１】移動通信システムにおける論理的チャネルと伝送チャネルの階層間の位置を示す構成図である。
【図２】本発明の実施形態によるユーザ端末側でトラフィックボリューム測定を行う場合の概念図である。
【図３】本発明の実施形態によるネットワークでトラフィックボリューム測定を行う場合の概念図である。
【図４】本発明の実施形態による移動通信システムにおけるトラフィックボリューム測定装置を示す構成図である。
【図５】本発明の実施形態による移動通信システムにおけるトラフィックボリューム測定方法を示すフローチャートである。
【符号の説明】
１００：ＲＲＣ階層
２１０：ＰＤＣＰ階層
２２０：ＢＭＣ階層
２３０：ＲＬＣ階層
２４０：ＭＡＣ階層
３００：ＰＨＹ階層
２４１：チャネルスイッチング部
２４２：マルチプレクサ
２４３：ＴＦＣ選択部
３１０：コーディング及びマルチプレキシング部
【図１】
0004243450.tif 000002
【図２】
0004243450.tif 000003
【図３】
0004243450.tif 000004
【図４】
0004243450.tif 000005
【図５】
0004243450.tif 000006